(57)【要約】【課題】接続部材（コネクター）の抜けや位置ずれを確実に防止することができるとともに、作業が実施しやすい接続補助部材を提供すること。【解決手段】翼部（２）と、チューブ（１１）に装着した固定具（１３）の収納部（３）から構成され、当該収納部（３）の底部に翼部（２）を装着した接続補助部材（１）。前記収納部（３）は、前記固定具（１３）を収納することができる充分な内部空間（Ｓ）を有し、前記収納部（３）の前方と後方に、それぞれ第一開口部（４）と第二開口部（５）を形成し、前記第一開口部（４）は前記固定具（１３）が通過できる大きさに形成し、前記第二開口部（５）は前記チューブ（１１）を挿通できる大きさに形成した。【選択図】図１
2004329860.tif 000002
【特許請求の範囲】
【請求項１】
翼部（２）と、チューブ（１１）に装着した固定具（１３）の収納部（３）から構成され、当該収納部（３）の底部に翼部（２）を装着したことを特徴とする接続補助部材（１）。
【請求項２】
収納部（３）は、前記固定具（１３）を収納することができる充分な内部空間（Ｓ）を有することを特徴とする前記請求項１に記載の接続補助部材（１）。
【請求項３】
収納部（３）の前方と後方に、それぞれ第一開口部（４）と第二開口部（５）を形成し、前記第一開口部（４）は前記固定具（１３）が通過できる大きさに形成し、
前記第二開口部（５）は前記チューブ（１１）を挿通できる大きさに形成したことを特徴とする前記請求項１ないし２に記載の接続補助部材（１）。
【請求項４】
収納部（３）側面に、第一開口部（４）から第二開口部（５）に亘る切り込み（６）を形成した、ことを特徴とする、請求項１ないし請求項３に記載の接続補助部材（１）。
【請求項５】
チューブ（１１）の先端にコネクター（１２）を装着し、かつチューブ（１１）の途中に請求項１ないし請求項４に記載の固定具（１３）と接続補助部材（１）を装着し、
前記コネクター（１２）の後方に前記固定具（１３）と翼状部品（１）を配置したことを特徴とする接続補助部材付き医療用具（１０）。
【発明の詳細な説明】
【技術分野】
【０００１】
本発明は、透析、輸液、輸血、経管栄養、人工肺用回路等のコネクター等の接続部材を有し、かつ当該接続部材の固定具を有する医療用具の接続補助部材と、当該接続補助部材付き医療用具の改良に関する。例えば前記医療用具と体内留置用カテーテルまたは留置針等の接続補助部材として好適に使用することができる。
【背景技術】
【０００２】
例えば特許文献１には、液体移送チューブに装着されたオス型接続部材とメス型接続部材を嵌合し、当該嵌合部の外周に、さらに固定部材を回動して強固に固定するようにした医療用具が記載されている。なお固定部材は一方の液体移送チューブに滑動自在に取り付けられている。しかしながら特許文献１に記載の医療用具では、固定部材が円筒形に形成され、また外周に突部が形成されているので、例えば患者の腕にテープを用いて固定する際、当着面積が小さく、固定状態が不安定である。このため固定部より、接続部材が外れたりずれたりして、稀であるが当該固定部より、液漏れや空気の混入等が生じることが懸念される。
更に突部が腕に当接するので患者に痛みと不快感を与えることが懸念される。また長時間の固定により腕の皮膚と前記突部に摩擦が生じ擦過傷を発生させることが懸念される。
【０００３】
また特許文献２には、メス型ルアーコネクターの内腔部に接続可能なオス型ルアーテーパーを有し、かつ前記メス型ルアーコネクターの外周部に固定可能な固定手段を有し、当該固定手段に、前記メス型ルアーコネクターの外周部を圧迫固定可能な固定装置を配置することにより強固な接続部の固定を可能とした医療用コネクターが記載されている。そして当該医療用コネクターは、固定装置の底部を水平に形成することで患者に当着する際の違和感を軽減することができ、さらに前記底部に翼部を形成することにより、当着面積を広くし患者の腕に固定し易くすることができる旨が記載されている。しかしながら特許文献２に記載の医療用コネクターでは、固定装置の底部に形成した翼部が、障害となって、オス型コネクターとメス型コネクターとの着脱作業を困難にすることが懸念される。
【特許文献１】実開昭６２−２４８３６号公報（第１図、第２図）
【特許文献２】特開２００２−１５９５７９号公報（第１図〜第８図）
【発明の開示】
【発明が解決しようとする課題】
【０００４】
解決しようとする問題点は、患者の腕に固定する際に、固定状態が不安定である点、患者に痛みと不快感を与える点及び長時間の固定により腕の皮膚に擦過傷を発生しやすい点並びに着脱作業が困難な点である。
【課題を解決するための手段】
【０００５】
そこで本発明者は以上の課題を解決するために、鋭意検討を重ねた結果次の発明に到達した。
［１］本発明は、翼部（２）と、チューブ（１１）に装着した固定具（１３）の収納部（３）から構成され、当該収納部（３）の底部に翼部（２）を装着した接続補助部材（１）を提供する。
［２］本発明は、収納部（３）は、前記固定具（１３）を収納することができる充分な内部空間（Ｓ）を有する前記［１］に記載の接続補助部材（１）を提供する。
［３］本発明は、収納部（３）の前方と後方に、それぞれ第一開口部（４）と第二開口部（５）を形成し、前記第一開口部（４）は前記固定具（１３）が通過できる大きさに形成し、
前記第二開口部（５）は前記チューブ（１１）を挿通できる大きさに形成した前記［１］ないし［２］に記載の接続補助部材（１）を提供する。
［４］本発明は、収納部（３）側面に、第一開口部（４）から第二開口部（５）に亘る切り込み（６）を形成した、［１］ないし［３］に記載の接続補助部材（１）を提供する。
［５］本発明は、チューブ（１１）の先端にコネクター（１２）を装着し、かつチューブ（１１）の途中に請求項１ないし請求項４に記載の固定具（１３）と接続補助部材（１）を装着し、
前記コネクター（１２）の後方に前記固定具（１３）と翼状部品（１）を配置した接続補助部材付き医療用具（１０）を提供する。
【発明の効果】
【０００６】
本発明の接続補助部材１は、（１）チューブ１１上をスライドさせて、収納部３に接続部材（コネクター）の固定具１３を確実に収納し、翼部２で固定することができるので、接続部材（コネクター）の抜けや位置ずれを確実に防止することができる。（２）翼部２が、接続部材（コネクター）を嵌合する時や嵌合した接続部材（コネクター）を固定具１３で固定する時の障害にならないので、作業が実施しやすい。（３）固定具１３を直接腕に固定しないので、固定具１３による痛みや不快感を解消することができる。
【発明を実施するための最良の形態】
【０００７】
図１は本発明の接続補助部材１の展開図で、（Ａ）が正面図、（Ｂ）が平面図、（Ｃ）が側面図である。図２は本発明の接続補助部材付き医療用具１０の使用方法の一例を示す概略図で、（１）は留置カテーテル１５と接続補助部材付き医療用具１０接続する前の概略図で、（２）は（メス型）コネクター１６と（オス型）コネクター１２を接続して、固定具１３で固定した概略図で、（３）は（２）の固定具１３を接続補助部材１の収納部３に収納してテープ１８で固定した概略図である。
【０００８】
［接続補助部材１］
本発明の接続補助部材１は、図１、図２に例示するように、翼部２と、チューブ１１に装着した固定具１３の収納部３から構成され、当該収納部３の底部に翼部２を装着している。図１、図２の例示では、収納部３と翼部２は一体に形成されているが、別部品で成形し、これらを装着するようにしても良い。
接続補助部材１の構成材料は、何でも良いが、操作上の観点から、柔軟性を有するものが良い。
収納部３は、前記固定具１３を収納することができる充分な内部空間Ｓを有する。収納部３の前方と後方に、それぞれ第一開口部４と第二開口部５を形成し、前記第一開口部４は前記固定具１３が通過できる大きさに形成し、前記第二開口部５は前記チューブ１１を挿通できる大きさに形成している。
さらに必要により、収納部３側面に、第一開口部４から第二開口部５に亘る切り込み６を形成することができる。これにより固定具１３を装着したチューブ１１の側面から、前記切り込み６を拡張して接続補助部材１を容易に装着することができる。
収納部３の形状は、図１の例示では略ドーム状に記載しているが、前記条件を充足する空間Ｓと、第一開口部４と第二開口部５を有する形状であればどのような形状でも採用することができる。
［接続補助部材付き医療用具１０］
チューブ１１の先端にコネクター１２を装着し、かつチューブ１１の途中に固定具１３と接続補助部材１を装着し、前記コネクター１２の後方に前記固定具１３と翼状部品１を配置している。コネクター１２は、オス型でもメス型でもどちらでも良い。
［翼部２］
翼部２は、図１の例示では矩形状に記載しているが、本発明の翼部２は、前記収納部３の底部に装着でき、チューブ１１上を可動（スライド）でき、患者に容易に固定できるものであれば、どのような形状でも採用することができる。
［固定具１３］
固定具１３は、オス型及び／又はメス型コネクターを外側から覆って固定できるものであれば何でも採用することができる。例えばロックナット等を使用することができる。またオス型及び／又はメス型コネクターの外周にリブ（突起、螺子突起）または溝（螺子溝）がある場合は、内周に、これらと嵌合ないし螺合できる溝（螺子溝）ないしリブ（突起、螺子突起）を形成した固定具１３を使用するのが良い。
【０００９】
図２に例示した接続補助部材付き医療用具１０の使用方法の一例について、
（１）（メス型）コネクター１６（先端外周にリブ１７を有する）を装着した留置カテーテル１５とともに使用する場合について説明する。
（２）（メス型）コネクター１６と前記（オス型）コネクター１２を嵌合して、前記（メス型）コネクター１６のリブ１７に固定具１３の内周溝１４の端部を係合して回動させる。
（３）接続補助部材１を（オス型）コネクター１２方向に移動させ前記固定具１３を収納部３に収納する。翼部２にテープ１８を貼り腕に固定する。
翼部２は平坦に形成されているので、テープ１８により、腕に確実に安定して固定することができる。このように接続補助部材１を介して固定具１３を確実に固定することができるので、留置カテーテル１５の抜けやずれを防止することができる。
【図面の簡単な説明】
【００１０】
【図１】本発明の接続補助部材１の展開図で、（Ａ）が正面図、（Ｂ）が平面図、（Ｃ）が側面図。
【図２】本発明の接続補助部材付き医療用具１０の使用方法の概略図の一例で、（１）は留置カテーテル１５と接続補助部材付き医療用具１０を接続する前の概略図、（２）は（メス型）コネクター１６と（オス型）コネクター１２を接続して、固定具１３で固定した概略図、（３）は（２）の固定具１３に接続補助部材を収納してテープ１８で固定したところの概略図。
【符号の説明】
【００１１】
１  接続補助部材
２  翼部
３  収納部
４  第一開口部
５  第二開口部
６  切り込み
１０  接続補助部材付き医療用具
１１  チューブ
１２  （オス型）コネクター
１３  固定具（ルアーロック）
１４  内周溝
１５  留置カテーテル
１６  （メス型）コネクター
１７  リブ
１８  テープ
【図１】
2004329860.tif 000003
【図２】
2004329860.tif 000004